(57)【要約】【課題】  繰出機構の操作により昇降する摺動ホルダーを内方に具えた棒状化粧料繰出容器の摺動ホルダーに、棒状化粧料を収納した中皿を装着するとともに、使用して残り少なくなった化粧料の入った中皿を摺動ホルダーより簡単に取外し、塗布具とともに収納ケースに中皿ごと装着させることで、化粧料を最後まで使用でき、さらに、中皿の脱着の際に、手指などに化粧料が付着せず、簡単に脱着できる棒状化粧料容器を提供すること。【解決手段】  棒状化粧料繰出容器の中皿として、棒状化粧料を保持した中皿を取着した摺動ホルダーを備えた棒状化粧料繰出容器において、中皿は、上部外周につまみ部を設け、下部内周に山部と谷部とからなる係合カムを設けた側周壁と、側周壁下端から垂設させ、縮径可能とした係合筒とを具備しており、摺動ホルダーは、上部に前記中皿の係合カムに係合する山部と谷部とからなる係合カムを設けた側周壁を具備しており、前記つまみ部を把持して中皿を廻動させることによって摺動ホルダーから取外すようにしていることを特徴とする。【選択図】        図１
2007151627.tif 000002
【特許請求の範囲】
【請求項１】
棒状化粧料を保持した中皿を取着した摺動ホルダーを備えた棒状化粧料繰出容器において、
中皿は、上部外周につまみ部を設け、下部内周に山部と谷部とからなる係合カムを設けた側周壁と、側周壁下端から垂設させ、縮径可能とした係合筒とを具備しており、
摺動ホルダーは、上部に前記中皿の係合カムに係合する山部と谷部とからなる係合カムを設けた側周壁を具備しており、
前記つまみ部を把持して中皿を廻動させることによって摺動ホルダーから取外すようにしていることを特徴とする棒状化粧料繰出容器の中皿。
【請求項２】
化粧料の残り少なくなった中皿を摺動ホルダーから取外し、塗布具とともに収納ケースに装着するようにしたことを特徴とする棒状化粧料繰出容器の中皿。
【発明の詳細な説明】
【技術分野】
【０００１】
本発明は、口紅等の棒状化粧料繰出容器、とくに、棒状化粧料を収納した中皿を取着した摺動ホルダーを繰出可能に装着する棒状化粧料繰出容器と、残り少なくなった化粧料を収納した中皿を取外し、収納ケースに収納するようにした棒状化粧料繰出容器に関するものである。
【背景技術】
【０００２】
棒状化粧料を収納し、棒状化粧料を容器内で昇降することにより使用する棒状化粧料繰出容器において、繰出機構の操作により昇降する摺動ホルダーを内部に具えた棒状化粧料繰出容器の摺動ホルダーに、棒状化粧料を収納した中皿を装着し、繰出機構を操作に応じて化粧料を容器内で昇降させ、棒状化粧料を使用し、棒状化粧料が少なくなったときには、中皿を摺動ホルダーから取外して廃棄し、さらに、新しい棒状化粧料を収納した中皿を、再び摺動ホルダーに装着して使用するようにした棒状化粧料容器は、従来より知られている（例えば、特許文献１参照）。
【特許文献１】実開昭６１−１８８５１６号公報
【発明の開示】
【発明が解決しようとする課題】
【０００３】
しかしながら、従来の棒状化粧料容器で棒状化粧料がなくなった中皿を摺動ホルダー（受皿）から取り除く際に、中皿を摺動ホルダーに対して廻動させる場合には、手指などで中皿の上部周壁を把持しなければならず、中皿に残った棒状化粧料が手指などに付着し手指を汚すという問題があった。
また、その際、容器の蓋を外し、一度中皿を最上部に上昇させ、塗布具を使って棒状化粧料を使用した後、容器の蓋を閉めるために中皿を少し下降させなければならず、取扱いが簡単でないという問題があった。
【０００４】
また、従来の棒状化粧料繰出容器では、棒状化粧料を収納した中皿を取り替えるだけであったので、残り少ない棒状化粧料は、そのまま廃棄していた。
そのため、少なくない棒状化粧料を無駄にするという問題があった。
【０００５】
それを解決するため、棒状化粧料を使用して短くなり、棒状化粧料として普通に使用できなくなった時に、中皿内に残った化粧料を、消費者が別に用意した塗布具などに付着させて使用することが行われているが、繰出容器の他に、塗布具を収納しておくケースが必要となり、部品が多くなるという問題があった。
【０００６】
本発明は、上記の問題点を解決することを課題とし、繰出機構の操作により昇降する摺動ホルダーを内方に具えた棒状化粧料繰出容器の摺動ホルダーに、棒状化粧料を収納した中皿を装着するとともに、使用して残り少なくなった化粧料の入った中皿を摺動ホルダーより簡単に取外し、塗布具とともに収納ケースに中皿ごと装着させることで、化粧料を最後まで使用でき、さらに、中皿の脱着の際に、手指などに化粧料が付着せず、簡単に脱着できる棒状化粧料容器を提供することを目的とする。
【課題を解決するための手段】
【０００７】
本発明は、上記の課題を解決するため、棒状化粧料繰出容器の中皿として、棒状化粧料を保持した中皿を取着した摺動ホルダーを備えた棒状化粧料繰出容器において、中皿は、上部外周につまみ部を設け、下部内周に山部と谷部とからなる係合カムを設けた側周壁と、側周壁下端から垂設させ、縮径可能とした係合筒とを具備しており、摺動ホルダーは、上部に前記中皿の係合カムに係合する山部と谷部とからなる係合カムを設けた側周壁を具備しており、前記つまみ部を把持して中皿を廻動させることによって摺動ホルダーから取外すようにしていることを特徴とする構成を採用する。
【０００８】
中皿の実施例として、化粧料の残り少なくなった中皿を摺動ホルダーから取外し、塗布具とともに収納ケースに装着するようにしたことを特徴とする構成を採用する。
【発明の効果】
【０００９】
中皿の側周壁に、つまみ部と、山部と谷部とからなる係合カムを設け、側周壁下端に縮径可能な係合筒を垂設し、摺動ホルダーに、前記係合カムに係合する係合カムを設け、中皿を廻動することによって摺動ホルダーから簡単に取外しできるようになった。
そのため、中皿の取替え、残り少ない化粧料を収納した中皿の取外しと、収納ケースへの取着が簡単にできるようになった。
【発明を実施するための最良の形態】
【００１０】
次に、本発明の実施形態について、図面を参照して説明する。
図１において、Ａは、口紅、リップクリーム、スティックアイシャドー、その他の棒状化粧料繰出容器、Ｂは、中皿Ｃを取着した摺動ホルダーである。
図６において、Ｄは、使用して残り少なくなった化粧料が入った中皿Ｃと塗布具Ｅを収納した収納ケースである。
【００１１】
棒状化粧料繰出容器Ａは、図１に示すように、棒状化粧料を収納した中皿Ｃを装着した摺動ホルダーＢを棒状化粧料繰出容器Ａ内で上下動させる繰出機構部Ａ１と、繰出機構部Ａ１を収納する外装部Ａ２とからなっている。
【００１２】
繰出機構部Ａ１は、図２に示すように、摺動ホルダーＢの上下動を案内する案内筒１と係止筒２と螺旋案内筒３とからなっている。
案内筒１は、図１、２に示すように、上部の案内筒部４と、下部の案内筒部４より内外方に拡径された係合筒部５とを具えており、案内筒部４の周壁には摺動ホルダーＢの上下動を案内する一対のスリット６が穿設され、外周上端部には係止環７が設けられている。
【００１３】
係止筒２は、下端が案内筒１の係合筒部５の外周上端と当接し、案内筒部４の外周下部に廻動不能に嵌着される嵌合筒８と、嵌合筒８の上端に立設された複数の弾性係止突起９とからなっている。
螺旋案内筒３の内周には、螺旋溝１０が形成されている。
【００１４】
外装部Ａ２は、図１に示すように、内方に繰出機構部Ａ１の案内筒１の係合筒部５を廻動不能に嵌着する有底の保持筒１１と、内周に繰出機構部Ａ１の螺旋案内筒３の外周を廻動不能に嵌挿し、外周下部が保持筒１１の内周上部に廻動可能に係合する回転筒１２と、保持筒１１の上部に装着され、棒状化粧料繰出容器内を閉蓋するオーバーキャップ１３とからなっている。
【００１５】
回転筒１２の上端には、内方に湾曲された開口１４が形成され、内周下端には、繰出機構部Ａ１の係止筒２の弾性係止突起９外周部が当接し、廻動可能に摺接する拡径部１５が設けられている。
【００１６】
上記の棒状化粧料繰出容器Ａは、繰出機構部Ａ１の案内筒１下部と螺旋案内筒３との間に、上端に弾性係止突起９を複数設けた係止筒２を配設することで、それぞれに嵌合した外装部Ａ２の保持筒１１と回転筒１２の廻動を円滑に行うことができるとともに、振動などによる回転筒１２の妄動を阻止している。
【００１７】
摺動ホルダーＢは、図１、３に示すように、外周が案内筒１内周を摺動する係合筒２０と、係合筒２０の外周下部に突設された一対の嵌合突起２１とを具えている。
係合筒２０の側周壁２２内周上部には、山部２３ａと谷部２３ｂが連続して連なる形で形成された係合カム２４が設けられている。
係合筒２０の内周と下端、および係合カム２４により、中皿Ｃを装着する中皿装着部Ｂａが形成されている。
【００１８】
摺動ホルダーＢの嵌合突起２１は、案内筒１の案内筒部４のスリット６より突出して螺旋溝１０に係合しており、螺旋案内筒３の廻動によって摺動ホルダーＢが旋回しながら上昇し、螺旋溝１０の上端には、摺動ホルダーＢの嵌合突起２１が当接することにより、摺動ホルダーＢの上昇、および螺旋案内筒３の廻動が阻止されるようになっている。
【００１９】
中皿Ｃは、図３に示すように、内方に棒状化粧料ｋの下方部が保持される側周壁３０と底壁３１と、底壁３１の外縁に垂設された係合筒３２とを具えている。
側周壁３０の外周上部には、外周に手指などで把持する滑り止めが施されたつまみ部３３が設けられており、側周壁３０の外周下部には、摺動ホルダーＢの係合カム２４の山部２３ａ、谷部２３ｂに係合する山部３４ａ、谷部３４ｂが形成された係合カム３５が設けられている。
【００２０】
係合筒３２の下部には、筒壁の下端から延びるスリット３６が複数配設されて、分裂した下部周壁３７を形成している。
下部周壁３７の外周下端には、上部が摺動ホルダーＢの係合筒５下端に係合し、中皿Ｃが摺動ホルダーＢより抜け落ちることを防ぐ係合突条３８が設けられている。
【００２１】
本発明の棒状化粧料繰出容器Ａの繰出機構部Ａ１は、外装部Ａ２のオーバーキャップ１３を取外し、外装部Ａ２の保持筒１１、または回転筒１２のいずれか一方を把持し、他方を廻動させて、中皿Ｃを中皿装着部Ｂａに装着した摺動ホルダーＢを外装部Ａ２に嵌合した繰出機構部Ａ１の案内筒１、および螺旋案内筒３との係合により上下動させることで、棒状化粧料繰出容器Ａの回転筒１２の開口１４より、中皿Ｃに収納された棒状化粧料ｋを繰出せることができるものであればよいので、棒状化粧料繰出容器Ａの繰出機構部Ａ１の構成は、上記実施形態の構成に限定されない。
【００２２】
また、回転筒１２を金属で形成したり、外装部Ａ２の全ての部材の外周面に加飾を施すことにより、製品に高級感を付与させることができる。
【００２３】
収納ケースＤは、図６に示すように、ケース本体Ｄ１と、ケース本体Ｄ１に開閉自在に装着されたケース蓋体Ｄ２と、ケース本体Ｄ１の内方に装着され、塗布具Ｅを装着する中皿支持枠Ｄ３とを具えている。
中皿支持枠Ｄ３には、中皿支持筒４０が複数配設されており、中皿支持筒４０内方には、摺動ホルダーＢの中皿装着部Ｂａと同形の中皿装着部Ｄ３ａが設けられている。
【００２４】
次に、本実施形態の使用態様とその作用効果について説明する。
まず、棒状化粧料ｋを収納した中皿Ｃを摺動ホルダーＢの中皿装着部Ｂａに装着し、収納した棒状化粧料繰出容器Ａの外装部Ａ２のオーバーキャップ１３を保持筒１１から取外し、外装部Ａ２の保持筒１１、または回転筒１２のいずれか一方を把持し、他方を廻動させることにより、棒状化粧料ｋを回転筒１２の開口１４より上方に繰出して使用する。
また、棒状化粧料ｋ使用後には、保持筒１１、または回転筒１２を逆に廻動させることにより、棒状化粧料ｋを回転筒１２内に戻すことができる。
【００２５】
棒状化粧料ｋを使用して長さが短くなり、棒状化粧料繰出容器Ａからそのままでは使用できなくなったときには、まず、中皿Ｃを装着した摺動ホルダーＢを回転筒１２内で最上部まで上昇させて、中皿Ｃのつまみ部３３を回転筒１２の開口１４より外部へ露出させる。
【００２６】
次に、中皿Ｃのつまみ部３３を手指などで把持して、図４に示すように、摺動ホルダーＢに対して廻動させると、中皿Ｃの側周壁３０の係合カム３５と摺動ホルダーＢの係合カム２４との係合が外れるとともに、互いに摺動しながら中皿Ｃを上昇させる。
中皿Ｃが摺動ホルダーＢ内で上昇すると、中皿Ｃの係合筒３２下端の係合突条３８の摺動ホルダーＢの係合筒５下端との係合が外れるとともに、係合突条３８の外周が下部周壁３７を内方に変形させながら係合筒２０内周を上方に摺動する。
最後は、図５に示すように、中皿Ｃを棒状化粧料繰出容器Ａの摺動ホルダーＢの中皿装着部Ｂａから取外すことができる。
【００２７】
また、新しい棒状化粧料ｋを保持した中皿Ｃを、棒状化粧料繰出容器Ａの摺動ホルダーＢの中皿装着部Ｂａに装着すると、新しい棒状化粧料ｋを、再び棒状化粧料繰出容器Ａで使用することができる。
短くなった化粧料ｋａを使用しない場合は、中皿Ｃごと廃棄することもできる。
【００２８】
短くなった化粧料ｋａをさらに使用する場合は、図６に示すように、中皿Ｃを収納ケースＤの中皿支持枠Ｄ３に配設された中皿支持筒４０の中皿装着部Ｄ３ａに装着する。
そして、中皿Ｃ内に残った化粧料ｋａを収納ケースＤ内の塗布具Ｅに付着させて使用すると、中皿Ｃ内に残った化粧料ｋａを最後まで使用することができる。
【００２９】
収納ケースＤ内の中皿Ｃに保持された化粧料ｋａを全て使用し終わったり、または使用しないときには、摺動ホルダーＢの中皿装着部Ｂａのときと同様に、中皿Ｃのつまみ部３３を手指などで把持して、中皿支持枠Ｄ３の中皿支持筒４０に対して廻動させると、中皿Ｃが中皿支持枠Ｄ３の中皿装着部Ｄ３ａより取外され、廃棄することができる。
【００３０】
したがって、本願発明は、使用して短くなった化粧料ｋａを収納した中皿を取替えたり、または収納ケースから取出すとき、中皿Ｃの上部を把持して廻動させることにより、中皿Ｃを棒状化粧料繰出容器Ａの摺動ホルダーＢの中皿装着部Ｂａ、または収納ケースＤの中皿支持枠Ｄ３の中皿装着部Ｄ３ａから脱着することができ、中皿Ｃの付替え、または廃棄が簡単に行える。
【００３１】
本発明の棒状化粧料繰出容器Ａは、棒状化粧料ｋを使用するために、棒状化粧料繰出容器内で摺動ホルダーＢを上下動できればよいので、棒状化粧料ｋを保持した中皿Ｃを装着した摺動ホルダーＢの繰出方法はどのような方法でもよく、棒状化粧料繰出容器Ａの繰出方法は上記実施形態に限定されない。
【００３２】
前記実施形態では、中皿の側周壁の上部外周に設けたつまみ部を、手指で把持して廻動させたが、操作部材を側周壁の外周に嵌挿して、操作部材によって中皿を廻動させるようにしてもよく、中皿の廻動手段は実施例に限定されない。
【産業上の利用可能性】
【００３３】
棒状化粧料を棒状化粧料繰出容器により使用でき、短くなった化粧料を中皿上部を把持して９０度前後廻動することにより、中皿ごと棒状化粧料繰出容器の摺動ホルダーの中皿装着部より簡単に取外して、収納ケースに装着して、残った化粧料を収納ケース内に収納した塗布具により使用でき、化粧料を最後まで使用できる。
さらに、新しい棒状化粧料を収納した中皿を棒状化粧料繰出容器に再び装着して使用することができるので、口紅などの棒状化粧料のレフィル容器として広く利用できる。
【図面の簡単な説明】
【００３４】
【図１】本発明の化粧料繰出容器の断面図である。
【図２】繰出機構部の説明図である。
【図３】中皿および摺動ホルダーの分解説明図である。
【図４】中皿と摺動ホルダーの（ａ）は嵌合時、（ｂ）は脱着時の要部説明図である。
【図５】中皿脱着時の化粧料繰出容器の説明図である。
【図６】本発明の収納ケースの説明図である。
【符号の説明】
【００３５】
Ａ            棒状化粧料繰出容器
Ａ１          繰出機構部
Ａ２          外装部
Ｂ            摺動ホルダー
Ｂａ          中皿装着部
Ｃ            中皿
Ｄ            収納ケース
Ｄ１          ケース本体
Ｄ２          ケース蓋体
Ｄ３          中皿支持枠
Ｄ３ａ        中皿装着部
Ｅ            塗布具
ｋ            棒状化粧料
ｋａ          化粧料
１            案内筒
２            係止筒
３            螺旋案内筒
４            案内筒部
５            係合筒部
６、３６      スリット
７            係止環
８            嵌合筒
９            弾性係止突起
１０          螺旋溝
１１          保持筒
１２          回転筒
１３          オーバーキャップ
１４          開口
１５          拡径部
２０          係合筒
２１          嵌合突起
２２          側周壁
２３ａ、３４ａ  山部
２３ｂ、３４ｂ  谷部
２４、３５      係合カム
３０          側周壁
３１          底壁
３２          係合筒
３３          つまみ部
３７          下部周壁
３８          係合突条
４０          中皿支持筒
【図１】
2007151627.tif 000003
【図２】
2007151627.tif 000004
【図３】
2007151627.tif 000005
【図４】
2007151627.tif 000006
【図５】
2007151627.tif 000007
【図６】
2007151627.tif 000008